(57)【要約】      （修正有）【課題】複数台の無線式防犯センサ端末からマスター端末に無線通信で送信されるセンサ検出信号の送信タイミングに当該無線式防犯センサ端末毎に差異を持たせることにより、同時のセンサ検出時におけるセンサ検出信号の衝突を防止して安定性を高めた無線通信を行う。【解決手段】センサ検出時に複数台の無線式防犯センサ端末１ａ、１ｂ、１ｃ、２ａ、２ｂ、２ｃの送信回路１１０からマスター端末３に無線通信で送信されるセンサ検出信号Ｓ1a、Ｓ1b、Ｓ1c、Ｓ2a、Ｓ2b、Ｓ2cの送信時間として、無線式防犯センサ端末毎で任意の時間Ｔ1a、Ｔ1b、Ｔ1c、Ｔ2a、Ｔ2b、Ｔ2cに、マスター端末との間で行われる無線通信において定期的に取得される電界強度値又は照度センサ１７にて検出される当該無線式防犯センサ端末の周囲近傍の明るさを示す照度値を乗して制御部１６ａ、１６ｂにて決定された時間を適用する。【選択図】図２
2009211400.tif 000002
【特許請求の範囲】
【請求項１】
センサ検出時にセンサ検出信号を無線通信で送信するための送信回路（１１０）及び前記センサ検出信号の確認信号を前記無線通信で受信するための受信回路（１１１）を有する複数台の無線式防犯センサ端末（１ａ、１ｂ、１ｃ、２ａ、２ｂ、２ｃ）と、前記無線式防犯センサ端末から前記無線通信で送信されてくる前記センサ検出信号を受信するための受信回路（３００）及び前記確認信号を前記無線通信で前記無線式防犯センサ端末に送信するための送信回路（３０１）を有するマスター端末（３）とを設け、
前記無線式防犯センサ端末は、前記センサ検出時から前記センサ検出信号を前記無線通信で送信するまでの時間を計時する計時部（１２）と、前記計時部にて計時される時間を当該無線式防犯センサ端末毎で任意に設定するための設定部（１３）とを備えることを特徴とする無線式防犯センサ装置。
【請求項２】
前記無線式防犯センサ端末は、前記マスター端末との間で行う前記無線通信の電界強度を定期的に取得し、前記設定部にて設定された時間に前記取得した電界強度値を乗した時間で送信時間を決定するための制御部（１６ａ）を備えることを特徴とする請求項１記載の無線式防犯センサ装置。
【請求項３】
前記無線式防犯センサ端末は、当該無線式防犯センサ端末の周囲近傍の明るさを検出するための照度センサ（１７）と、前記設定部にて設定された時間に前記照度センサにて検出された照度値を乗した時間で送信時間を決定するための制御部（１６ｂ）とを備えることを特徴とする請求項１記載の無線式防犯センサ装置。
【請求項４】
前記無線式防犯センサ端末の前記制御部は、前記設定部にて設定された時間に前記取得した電界強度値又は前記照度センサにて検出された照度値を乗した時間をもとに、前記センサ検出信号を前記無線通信で前記マスター端末に再送信するまでの時間間隔を決定することを特徴とする請求項２又は請求項３記載の無線式防犯センサ装置。
【発明の詳細な説明】
【技術分野】
【０００１】
本発明は、複数台の無線式防犯センサ端末とマスター端末との間で無線通信を行う無線式防犯センサ装置に係り、特に、無線式防犯センサ端末からマスター端末に無線通信される送信信号の安定性を高めた無線式防犯センサ装置に関する。
【背景技術】
【０００２】
近年、泥棒等の不審者による住戸内への侵入等の犯罪が多発し、この対策が急務となっている。そこで、従来から住戸用のセキュリティシステムとして、外出者が携帯するポケットベル（登録商標）等に無線電話回線を通じて家屋内の異常事態を知らしめる如き構成のホームセキュリティが開示されている（例えば、特許文献１を参照。）。
【０００３】
このホームセキュリティによれば、熱感知センサ、煙感知センサ、ガスセンサ、防犯感知センサ等の各種センサを住戸内（の各部屋）に配置し、ガス漏れ等のセキュリティ異常を感知した場合、各種センサに有線接続されるメインコントローラにて警報が発報されるとともに、メインコントローラに内蔵された無線電話回線発信装置が作動し、外出者が携帯しているポケットベルや携帯電話にて警報が発報される。
【０００４】
また、前述の各種センサ及びメインコントローラの間の接続の別の態様として無線接続が適用され、各種センサにてセキュリィ異常が感知された場合に警報を発報することができる携帯型セキュリティシステムも開示されている（例えば、特許文献２を参照。）。
【０００５】
【特許文献１】特開平６−３６１５４号公報
【特許文献２】特開２０００−３６０８８号公報
【発明の開示】
【発明が解決しようとする課題】
【０００６】
しかしながら、背景技術に記載した特許文献２の携帯型セキュリティシステムにおいて、複数台の各種センサが同時のタイミングで動作を開始すると、当該各種センサからメインコントローラに無線通信で送信される信号が互いに衝突する虞があり安定性を高めた無線通信を行うことができず、ゆえに的確な警報の発報も困難となる虞があった。
【０００７】
本発明は、この難点を解消するためになされたもので、複数台の無線式防犯センサ端末からマスター端末に無線通信で送信されるセンサ検出信号の送信タイミングに当該無線式防犯センサ端末毎で差異を持たせることにより、同時のセンサ検出時におけるセンサ検出信号の衝突を防止して安定性を高めた無線通信を行うことができる無線式防犯センサ装置を提供することを目的としている。
【課題を解決するための手段】
【０００８】
前述の目的を達成するため、本発明の第１の態様である無線式防犯センサ装置は、センサ検出時にセンサ検出信号を無線通信で送信するための送信回路及びセンサ検出信号の確認信号を無線通信で受信するための受信回路を有する複数台の無線式防犯センサ端末と、無線式防犯センサ端末から無線通信で送信されてくるセンサ検出信号を受信するための受信回路及び確認信号を無線通信で無線式防犯センサ端末に送信するための送信回路を有するマスター端末とを設けている。無線式防犯センサ端末は、センサ検出時からセンサ検出信号を無線通信で送信するまでの時間を計時する計時部と、計時部にて計時される時間を当該無線式防犯センサ端末毎で任意に設定するための設定部とを備えている。
【０００９】
また、本発明の第２の態様である無線式防犯センサ装置は、本発明の第１の態様において、無線式防犯センサ端末は、マスター端末との間で行う無線通信の電界強度を定期的に取得し、設定部にて設定された時間に取得した電界強度値を乗した時間で送信時間を決定するための制御部を備えている。
【００１０】
また、本発明の第３の態様である無線式防犯センサ装置は、本発明の第１の態様において、無線式防犯センサ端末は、当該無線式防犯センサ端末の周囲近傍の明るさを検出するための照度センサと、設定部にて設定された時間に照度センサにて検出された照度値を乗した時間で送信時間を決定するための制御部とを備えている。
【００１１】
また、本発明の第４の態様である無線式防犯センサ装置は、本発明の第２の態様又は第３の態様において、無線式防犯センサ端末の制御部は、設定部にて設定された時間に取得した電界強度値又は照度センサにて検出された照度値を乗した時間をもとに、センサ検出信号を無線通信でマスター端末に再送信するまでの時間間隔を決定するものである。
【発明の効果】
【００１２】
本発明の無線式防犯センサ装置によれば、センサ検出時に複数台の無線式防犯センサ端末の送信回路からマスター端末の受信回路に無線通信で送信されるセンサ検出信号の送信時間として、設定部による設定で計時部にて計時される当該複数台の無線式防犯センサ端末毎で任意の時間に、マスター端末との間で行われる無線通信において定期的に取得される電界強度値を乗して制御部にて決定された時間を適用することにより、センサ検出信号の送信タイミングに当該無線式防犯センサ端末毎で差異が発生し、同時のセンサ検出時におけるセンサ検出信号の衝突を防止して安定性を高めた無線通信を行うことができる。
【００１３】
また、本発明の無線式防犯センサ装置によれば、センサ検出時に複数台の無線式防犯センサ端末の送信回路からマスター端末の受信回路に無線通信で送信されるセンサ検出信号の送信時間として、設定部による設定で計時部にて計時される当該複数台の無線式防犯センサ端末毎で任意の時間に、照度センサにて検出される当該無線式防犯センサ端末の周囲近傍の明るさを示す照度値を乗して制御部にて決定された時間を適用することにより、センサ検出信号の送信タイミングに当該無線式防犯センサ端末毎で差異が発生し、同時のセンサ検出時におけるセンサ検出信号の衝突を防止して安定性を高めた無線通信を行うことができる。
【００１４】
さらに、本発明の無線式防犯センサ装置によれば、センサ検出時に複数台の無線式防犯センサ端末の送信回路からマスター端末の受信回路に無線通信で再送信されるセンサ検出信号の時間間隔として、設定部による設定で計時部にて計時される当該複数台の無線式防犯センサ端末毎で任意の時間に、マスター端末との間で行われる無線通信において定期的に取得される電界強度値又は照度センサにて検出される当該無線式防犯センサ端末の周囲近傍の明るさを示す照度値を乗して制御部にて決定された時間間隔を適用することにより、再送信時におけるセンサ検出信号の衝突が防止され、安定性を高めた無線通信を行うことができる。
【発明を実施するための最良の形態】
【００１５】
以下、本発明の無線式防犯センサ装置を適用した最良の実施の形態例について、図面を参照して説明する。
【００１６】
図１は、本発明の実施例による無線式防犯センサ装置の全体構成を示すブロック図である。この無線式防犯センサ装置には、泥棒等の不審者による住戸内への侵入、徘徊者の存在、火災の発生、ガス漏れの発生、水漏れの発生等の各種のセキュリティ異常をセンサ検出するための複数台の無線式防犯センサ端末１ａ、１ｂ、１ｃ、２ａ、２ｂ、２ｃと、複数台の無線式防犯センサ端末１ａ、１ｂ、１ｃ、２ａ、２ｂ、２ｃとの間でそれぞれ無線通信を行い、各種のセキュリティ異常をセンサ検出した当該無線式防犯センサ端末から無線通信で送信されてくるセンサ検出信号を受信し、このセンサ検出信号の受信を確認した旨の確認信号をセンサ検出元の当該無線式防犯センサ端末に無線通信で送信するためのマスター端末３とが設けられている。
【００１７】
なお、複数台の無線式防犯センサ端末１ａ、１ｂ、１ｃはそれぞれ、同一の構成で個別の端末ＩＤが割り当てられており、本発明の実施例における当該複数台の無線式防犯センサ端末の第１の態様とする。また、複数台の無線式防犯センサ端末２ａ、２ｂ、２ｃはそれぞれ、同一の構成で個別の端末ＩＤが割り当てられており、本発明の実施例における当該複数台の無線式防犯センサ端末の第２の態様とする。
【００１８】
次に、複数台の無線式防犯センサ端末１ａ、１ｂ、１ｃの具体的な構成について、図２（Ａ）のブロック図を参照して説明する。この複数台の無線式防犯センサ端末１ａ、１ｂ、１ｃには、防犯センサ部１０、無線通信部（以下、センサ無線通信部という。）１１、計時部１２、設定部１３、表示部（以下、センサ表示部という。）１４、電源部（以下、センサ電源部という。）１５及び制御部（以下、センサ制御部という。）１６ａが備えられている。
【００１９】
図２（Ａ）に示す複数台の無線式防犯センサ端末１ａ、１ｂ、１ｃにおいて、防犯センサ部１０は、センサ制御部１６ａによって動作検出され、各種のセキュリティ異常をセンサ検出するためのものである。
【００２０】
センサ無線通信部１１は、防犯センサ部１０にてセンサ検出された各種のセキュリティ異常の情報を含みセンサ制御部１６ａにて生成されるセンサ検出信号を無線通信でマスター端末３に送信するための送信回路１１０と、マスター端末３にて生成され無線通信で送信されてくる確認信号を受信し、センサ制御部１６ａに送出するための受信回路１１１とを有している。この受信回路１１１は、当該無線式防犯センサ端末の第１の態様において、マスター端末３との間で行われる無線通信の電界強度（ＲＳＳＩ：Received Signal Strength Indicator）を定期的に取得し、センサ制御部１６ａに送出することができる。
【００２１】
計時部１２は、センサ制御部１６ａによって制御され、防犯センサ部１０にて各種のセキュリティ異常がセンサ検出された時点（検出時点）を始期として、センサ制御部１６ａにて生成されるセンサ検出信号がセンサ無線通信部１１の送信回路１１０から無線通信で送信されるまでの時間を計時するためのものである。この計時部１２は、図示のようなセンサ制御部１６ａと別体で設けられる態様に限定されるものではなく、破線で示すようにセンサ制御部１６ａと一体で設けることもできる。
【００２２】
設定部１３は、センサ制御部１６ａによって操作検出され、計時部１２にて計時される時間を、複数台の無線式防犯センサ端末１ａ、１ｂ、１ｃ毎で任意に設定するためのものであり、例えば、テンキースイッチやディップスイッチで構成されている。
【００２３】
センサ表示部１４は、センサ制御部１６ａによって制御され、防犯センサ部１０にてセンサ検出された各種のセキュリティ異常を示す警報表示や、マスター端末３にて生成され無線通信で送信されてくる確認信号をセンサ制御部１６ａが受信し、当該マスター端末にて正常に警報発報及び警報表示された旨の確認表示を行うにあたり、所定のパターン（色パターン）で点滅／点灯するためのものであり、例えば、ＬＥＤで構成されている。
【００２４】
センサ電源部１５は、センサ制御部１６ａによって制御され、複数台の無線式防犯センサ端末１ａ、１ｂ、１ｃの構成各部に動作電源を供給するためのものであり、例えば、直流電源が予め蓄電された２次電池で構成されている。
【００２５】
センサ制御部１６ａは、複数台の無線式防犯センサ端末１ａ、１ｂ、１ｃの構成各部を制御するためのものである。具体的な制御として、センサ制御部１６ａは、設定部１３による設定で計時部１２にて計時される当該複数台の無線式防犯センサ端末毎で任意の時間に、マスター端末３との間で行われる無線通信において定期的に取得される電界強度値を乗して決定された時間（送信時間）によって、センサ無線通信部１１の送信回路１１０からセンサ検出信号を無線通信でマスター端末３に送信することができる。また、センサ制御部１６ａは、設定部１３による設定で計時部１２にて計時される当該複数台の無線式防犯センサ端末毎で任意の時間に、マスター端末３との間で行われる無線通信において定期的に取得される電界強度値を乗して決定された時間間隔によって、センサ無線通信部１１の送信回路１１０からマスター端末３にセンサ検出信号を無線通信で再送信することができる。また、センサ制御部１６ａは、センサ表示部１４を制御して所定のパターンで警報表示又は確認表示を行うことができる。さらに、センサ制御部１６ａは、センサ電源部１５を制御して動作電源の電圧レベルを可変することができる。
【００２６】
次に、複数台の無線式防犯センサ端末２ａ、２ｂ、２ｃの具体的な構成について、図２（Ｂ）のブロック図を参照して説明する。なお、複数台の無線式防犯センサ端末２ａ、２ｂ、２ｃの構成として、第１の構成としての複数台の無線式防犯センサ端末１ａ、１ｂ、１ｃにおける同一の作用を有する構成部については同一の符号を付与するものとし、その説明は省略するものとする。この複数台の無線式防犯センサ端末２ａ、２ｂ、２ｃには、防犯センサ部１０、センサ無線通信部１１、計時部１２、設定部１３、センサ表示部１４、センサ電源部１５、センサ制御部１６ｂ及び照度センサ１７が備えられている。
【００２７】
図２（Ｂ）に示す複数台の無線式防犯センサ端末２ａ、２ｂ、２ｃにおいて、照度センサ１７は、センサ制御部１６ｂによって制御され、当該無線式防犯センサ端末の周囲環境の明るさを検出するためのものである。
【００２８】
センサ制御部１６ｂは、複数台の無線式防犯センサ端末２ａ、２ｂ、２ｃの構成各部を制御するためのものである。具体的な制御として、センサ制御部１６ｂは、前述のセンサ制御部１６ａと同様、センサ表示部１４を制御して所定のパターンで警報表示又は確認表示を行うことができるとともに、センサ電源部１５を制御して動作電源の電圧レベルを可変することができる。また、センサ制御部１６ｂは、設定部１３による設定で計時部１２にて計時される当該複数台の無線式防犯センサ端末毎で任意の時間に、照度センサ１７にて検出される当該無線式防犯センサ端末の周囲近傍の明るさを示す照度値を乗して決定された時間（送信時間）によって、センサ無線通信部１１の送信回路１１０からセンサ検出信号を無線通信でマスター端末３に送信することができる。さらに、センサ制御部１６ｂは、設定部１３による設定で計時部１２にて当該複数台の無線式防犯センサ端末毎で任意の時間に、照度センサ１７にて検出される当該無線式防犯センサ端末の周囲近傍の明るさを示す照度値を乗して決定された時間間隔によって、センサ無線通信部１１の送信回路１１０からマスター端末３にセンサ検出信号を無線通信で再送信することができる。
【００２９】
次に、マスター端末３の具体的な構成について、図３のブロック図を参照して説明する。このマスター端末３には、無線通信部（以下、マスター無線通信部という。）３０、発報部３１、表示部（以下、マスター表示部という。）３２、電源部（以下、マスター電源部という。）３３及び制御部（以下、マスター制御部という。）３４が備えられている。
【００３０】
図３に示すマスター端末３において、マスター無線通信部３０は、複数台の無線式防犯センサ端末１ａ、１ｂ、１ｃ、２ａ、２ｂ、２ｃを構成するセンサ無線通信部１１の送信回路１１０から無線通信で送信されてくるセンサ検出信号を受信し、マスター制御部３４に送出するための受信回路３００と、受信回路３００にて受信されるセンサ検出信号が入力されたマスター制御部３４にて生成される確認信号を、各種のセキュリティ異常を防犯センサ部１０にてセンサ検出した特定の当該無線式防犯センサ端末に無線通信で送信するための送信回路３０１とを有している。
【００３１】
発報部３１は、マスター制御部３４によって制御され、複数台の無線式防犯センサ端末１ａ、１ｂ、１ｃ、２ａ、２ｂ、２ｃの防犯センサ部１０にてセンサ検出された各種のセキュリティ異常を示す警報発報を行うにあたり、所定の警報音や音声メッセージ等を出力するためのものであり、例えば、拡声スピーカで構成されている。
【００３２】
マスター表示部３２は、マスター制御部３４によって制御され、複数台の無線式防犯センサ端末１ａ、１ｂ、１ｃ、２ａ、２ｂ、２ｃの防犯センサ部１０にてセンサ検出された各種のセキュリティ異常を示す警報表示を行うにあたり、所定の警報メッセージや絵データ等を表示する、及び／又は所定のパターン（色パターン）で点滅／点灯するためのものであり、例えば、ＬＣＤ、ＰＤＰ、有機ＥＬディスプレイ等の各種の表示媒体及び／又はＬＥＤで構成されている。
【００３３】
マスター電源部３３は、マスター制御部３４によって制御され、マスター端末３の構成各部に動作電源を供給するためのものであり、例えば、商用電源を整流・平滑させて直流電源を生成する電源回路や直流電源が予め蓄電された２次電池で構成されている。
【００３４】
マスター制御部３４は、マスター端末３の構成各部を制御するためのものである。具体的な制御として、マスター制御部３４は、発報部３１及びマスター表示部３２をそれぞれ制御して所定のパターンで警報発報及び警報表示を行うことができる。また、マスター端末３４は、マスター電源部３３を制御して動作電源の電圧レベルを可変することができる。
【００３５】
このように構成された本発明の実施例による無線式防犯センサ装置において、以下、具体的な動作について図面を参照して説明する。
【００３６】
本発明の実施例による第１の動作として、図２（Ａ）に示す構成である複数台の無線式防犯センサ端末１ａ、１ｂ、１ｃを適用するにあたり、この無線式防犯センサ端末１ａ、１ｂ、１ｃを構成するセンサ無線通信部１０の受信回路１１１はそれぞれ、図１に示すように、マスター端末３との間の各無線通信距離Ｌa、Ｌb、Ｌcの長さ、ここでは、「Ｌa＞Ｌb＞Ｌc」に反比例してその大きさが増減する電界強度を定期的に取得してセンサ制御部１６ａに送出している。
【００３７】
また、図２（Ａ）に示す複数台の無線式防犯センサ端末１ａ、１ｂ、１ｃのセンサ制御部１６ａはそれぞれ、設定部１３による設定で計時部１２にて計時される当該複数台の無線式防犯センサ端末毎で任意の時間Ｔ1a、Ｔ1b、Ｔ1cに、前述の当該複数台の無線式防犯センサ端末毎に異なる値で定期的に取得される電界強度値（をその値をもとに変換した時間）を乗するような演算処理を行う。
【００３８】
ここで、図２（Ａ）に示す複数台の無線式防犯センサ端末１ａ、１ｂ、１ｃの防犯センサ部１０における各種のセキュリティ異常のセンサ検出動作が同時のタイミングで開始されたとすると、複数台の無線式防犯センサ端末１ａ、１ｂ、１ｃのセンサ制御部１６ａはそれぞれ、センサ検出された各種のセキュリティ異常を示す警報表示を、センサ表示部１４を使用して行うとともに、前述の演算処理により決定された当該複数台の無線式防犯センサ端末毎で異なる時間（以下、送信時間という。）Ｔ11a、Ｔ11b、Ｔ11cのタイミングをもとに、セキュリティ異常情報及び自無線式防犯センサ端末が有する端末ＩＤを付加したセンサ検出信号Ｓ1a、Ｓ1b、Ｓ1cを、センサ無線通信部１１の送信回路１１０から無線通信でマスター端末３に送信することができるため、同時のセンサ検出時におけるセンサ検出信号Ｓ1a、Ｓ1b、Ｓ1cの衝突が防止され、安定性を高めた状態でマスター端末３への無線通信を行うことができる。
【００３９】
なお、図２（Ａ）に示す複数台の無線式防犯センサ端末１ａ、１ｂ、１ｃのセンサ制御部１６ａにて決定される送信時間Ｔ11a、Ｔ11b、Ｔ11cのタイミングの一例としては、電界強度値が小さい当該無線式防犯センサ端末からのセンサ検出信号を最優先に、電界強度値の大きさに対応させた順序となるようなタイミングで、センサ無線通信部１１の送信回路１１０から無線通信でマスター端末３に送信することができる。
【００４０】
ここでは、図１に示す無線式防犯センサ端末１ａ及びマスター端末３の間の無線通信距離Ａ、無線式防犯センサ端末１ｂ及びマスター端末３の間の無線通信距離Ｂ、無線式防犯センサ端末１ｃ及びマスター端末３の間の無線通信距離Ｃは、「Ｌa＞Ｌb＞Ｌc」の関係を有しているため、送信時間のタイミングは「Ｔ11a＜Ｔ11b＜Ｔ11c」となり、図２（Ａ）に示す無線式防犯センサ端末１ａを構成するセンサ無線通信部１１の送信回路１１０から無線通信で送信されるセンサ検出信号Ｓ1aを最優先に、無線式防犯センサ端末１ｂを構成するセンサ無線通信部１１の送信回路１１０から無線通信で送信されるセンサ検出信号Ｓ1b、無線式防犯センサ端末１ｃを構成するセンサ無線通信部１１の送信回路１１０から無線通信で送信されるセンサ検出信号Ｓ1cの順序で、図３に示すマスター端末３を構成するマスター無線通信部３０の受信回路３００に衝突がない安定した状態で受信されることになる。
【００４１】
図３に示すマスター端末３のマスター制御部３４は、図２（Ａ）に示す複数台の無線式防犯センサ端末１ａ、１ｂ、１ｃの防犯センサ部１０における各種のセキュリティ異常のセンサ検出動作が同時のタイミングで開始されてから前述の送信時間Ｔ11aの経過後のタイミングでマスター無線通信部３０の受信回路３００にて受信されたセンサ検出信号Ｓ1aを入力すると、このセンサ検出信号Ｓ1aに付加されているセキュリティ異常情報及び端末ＩＤをもとに、無線式防犯センサ端末１ａの防犯センサ部１０にてセンサ検出された各種のセキュリティ異常の警報発報及び警報表示を、発報部３１及びマスター表示部３２をそれぞれ使用して行うとともに、無線式防犯センサ端末１ａが有する端末ＩＤを付加した確認信号Ｓ11aを生成してマスター無線通信部３０の送信回路３０１から無線通信で送信し、複数台の無線式防犯センサ端末１ａ、１ｂ、１ｃを構成するセンサ無線通信部１０の受信回路１１１を経由してセンサ制御部１６ａに伝送させる。
【００４２】
図２（Ａ）に示す複数台の無線式防犯センサ端末１ａ、１ｂ、１ｃのセンサ制御部１６ａはそれぞれ、マスター端末３から無線通信で送信されてきた確認信号Ｓ11aに付加されている端末ＩＤと自無線式防犯センサ端末が有する端末ＩＤとを照合し、照合結果が一致した場合にのみ防犯センサ部１０にてセンサ検出されたセキュリティ異常がマスター端末３にて正常に警報発報及び警報表示された旨の確認表示を、センサ表示部１４を使用して行うことができる。ここでは、無線式防犯センサ端末１ａのセンサ制御部１６ａのみ照合結果が一致し、センサ表示部１４を使用した確認表示が行われることになる。
【００４３】
また、図３に示すマスター端末３のマスター制御部３４は、図２（Ａ）に示す複数台の無線式防犯センサ端末１ａ、１ｂ、１ｃの防犯センサ部１０における各種のセキュリティ異常のセンサ検出動作が同時のタイミングで開始されてから前述の送信時間Ｔ11c、Ｔ11dの経過後のタイミングでマスター無線通信部３０の受信回路３００にて順次受信されたセンサ検出信号Ｓ11b、Ｓ11cを入力すると、入力されたセンサ検出信号Ｓ11b、Ｓ11cに付加されているセキュリティ異常情報及び端末ＩＤをもとに、無線式防犯センサ端末１ｂの防犯センサ部１０にてセンサ検出された各種のセキュリティ異常の警報発報及び警報表示、無線式防犯センサ端末１ｃの防犯センサ部１０にてセンサ検出された各種のセキュリティ異常の警報発報及び警報表示を、発報部３１及びマスター表示部３２をそれぞれ使用して前述の送信時間Ｔ11c、Ｔ11dの時間差に対応させて行うとともに、この時間差のタイミングで無線式防犯センサ端末１ｂ、１ｃが有する端末ＩＤをそれぞれ付加した確認信号Ｓ11b、Ｓ11bを生成してマスター無線通信部３０の送信回路３０１から無線通信で送信し、複数台の無線式防犯センサ端末１ａ、１ｂ、１ｃを構成するセンサ無線通信部１１の受信回路１１１を経由してセンサ制御部１６ａに伝送させる。
【００４４】
さらに、図２（Ａ）に示す複数台の無線式防犯センサ端末１ａ、１ｂ、１ｃのうち無線式防犯センサ端末１ａ、１ｂのセンサ制御部１６ａはそれぞれ、前述の無線式防犯センサ端末１ａのセンサ制御部１６ａと同様、マスター端末３から無線通信で送信されてきた確認信号Ｓ11b、Ｓ11cに付加されている端末ＩＤと自無線式防犯センサ端末が有する端末ＩＤとの照合結果が一致するため、防犯センサ部１０にてセンサ検出された各種のセキュリティ異常がマスター端末３にて正常に警報発報及び警報表示された旨の確認表示を、センサ表示部１４を使用して行うことができる。
【００４５】
なお、前述までの説明においては、図２（Ａ）に示す複数台の無線式防犯センサ端末１ａ、１ｂ、１ｃのセンサ制御部１６ａにて決定される送信時間Ｔ11a、Ｔ11b、Ｔ11cのタイミングの一例として、電界強度値が小さい当該無線式防犯センサ端末からのセンサ検出信号を最優先に、電界強度値の大きさに対応させた順序となるようなタイミングを適用したが、このタイミングに限定されるものではない。例えば、当該複数台の無線式防犯センサ端末を構成するセンサ無線通信部１１の受信回路１１１の機能として、電界強度の取得機能が不備とされる態様においては、設定部１３による設定で計時部１２にて計時される（任意の）時間Ｔ1a、Ｔ1b、Ｔ1cが当該複数台の無線式防犯センサ端末毎で「Ｔ1a≠Ｔ1b≠Ｔ1c」のように異なっていればよく、同時のセンサ検出時におけるセンサ検出信号Ｓ1a、Ｓ1b、Ｓ1cの衝突が防止され、安定性を高めた状態でマスター端末３への無線通信を行うこともできる。
【００４６】
また、前述までの説明においては、図２（Ａ）に示す複数台の無線式防犯センサ端末１ａ、１ｂ、１ｃの防犯センサ部１０における各種のセキュリティ異常のセンサ検出動作が同時のタイミングで開始されたときの送信時間Ｔ11a、Ｔ11b、Ｔ11cについて説明したが、この送信時間Ｔ11a、Ｔ11b、Ｔ11cの経過後に再度、センサ制御部１６ａにて生成されるセンサ検出信号Ｓ1a、Ｓ1b、Ｓ1cをセンサ無線通信部１１の送信回路１１０からマスター端末３に再送信するまでの時間間隔についても、設定部１３による設定で計時部１２にて計時される当該複数台の無線式防犯センサ端末毎で任意の時間に、マスター端末３との間で行われる無線通信において定期的に取得される電界強度値（をその値をもとに変換した時間）を乗してセンサ制御部１６ａにて決定される時間間隔Ｔ21a、Ｔ21b、Ｔ21cとすることができる。この時間間隔Ｔ21a、Ｔ21b、Ｔ21cにより、再送信時におけるセンサ検出信号Ｓ1a、Ｓ1b、Ｓ1cの衝突が防止され、安定性を高めた状態でマスター端末３への無線通信を行うこともできる。
【００４７】
次に、本発明の実施例による第２の動作として、図２（Ｂ）に示す構成である複数台の無線式防犯センサ端末２ａ、２ｂ、２ｃを適用するにあたり、この無線式防犯センサ端末２ａ、２ｂ、２ｃの照度センサ１７はそれぞれ、自無線式防犯センサ端末の周囲環境の明るさを監視しており、定期的に検出された明るさを示す照度値をセンサ制御部１６ｂに送出している。
【００４８】
また、図２（Ｂ）に示す複数台の無線式防犯センサ端末２ａ、２ｂ、２ｃのセンサ制御部１６ｂはそれぞれ、設定部１３による設定で計時部１２にて計時される当該複数台の無線式防犯センサ端末毎で任意の時間Ｔ2a、Ｔ2b、Ｔ2cに、通常、当該複数台の無線式防犯センサ端末毎に異なる値で検出される照度値（をその値をもとに変換した時間）を乗するような演算処理を行う。
【００４９】
ここで、図２（Ｂ）に示す複数台の無線式防犯センサ端末２ａ、２ｂ、２ｃの防犯センサ部１０における各種のセキュリティ異常のセンサ検出動作が同時のタイミングで開始されたとすると、複数台の無線式防犯センサ端末２ａ、２ｂ、２ｃのセンサ制御部１６ｂはそれぞれ、センサ検出されたセキュリティ異常を示す警報表示を、センサ表示部１４を使用して行うとともに、前述の演算処理により決定された当該無線式防犯センサ端末毎に異なる送信時間Ｔ12a、Ｔ12b、Ｔ12cのタイミングをもとに、セキュリティ異常情報及び自無線式防犯センサ端末が有する端末ＩＤを付加したセンサ検出信号Ｓ2a、Ｓ2b、Ｓ2cを、センサ無線通信部１１の送信回路１１０から無線通信でマスター端末３に送信することができるため、同時のセンサ検出時におけるセンサ検出信号Ｓ2a、Ｓ2b、Ｓ2cの衝突が防止され、安定性を高めた状態でマスター端末３への無線通信を行うことができる。
【００５０】
なお、図２（Ｂ）に示す複数台の無線式防犯センサ端末２ａ、２ｂ、２ｃのセンサ制御部１６ｂにて決定される送信時間Ｔ12a、Ｔ12b、Ｔ12cのタイミングの一例としては、周囲環境の明るさを示す照度値が小さい、すなわち、暗い周囲環境下の当該無線式防犯センサ端末からのセンサ検出信号を最優先に、照度値の大きさに対応させた順序となるようなタイミングで、センサ無線通信部１１の送信回路１１０から無線通信でマスター端末３に送信することができる。
【００５１】
ここでは、図２（ｂ）において、無線式防犯センサ端末２ａの周囲環境の明るさを示す照度値Ｖa、無線式防犯センサ端末２ｂの周囲環境の明るさを示す照度値Ｖb、無線式防犯センサ端末２ｃの周囲環境の明るさを示す照度値Ｖcは、「Ｖa＜Ｖb＜Ｖc」の関係を有しているとすると、送信時間のタイミングは「Ｔ12a＜Ｔ12b＜Ｔ12c」となり、無線式防犯センサ端末２ａを構成するセンサ無線通信部１１の送信回路１１０から無線通信で送信されるセンサ検出信号Ｓ2aを最優先に、無線式防犯センサ端末２ｂを構成するセンサ無線通信部１１の送信回路１１０から無線通信で送信されるセンサ検出信号Ｓ2b、無線式防犯センサ端末２ｃを構成するセンサ無線通信部１１の送信回路１１０から無線通信で送信されるセンサ検出信号Ｓ2cの順序で、図３に示すマスター端末３を構成するマスター無線通信部３０の受信回路３００に衝突がない安定した状態で受信されることになる。
【００５２】
図３に示すマスター端末３のマスター制御部３４は、図２（Ｂ）に示す複数台の無線式防犯センサ端末２ａ、２ｂ、２ｃの防犯センサ部１０における各種のセキュリティ異常のセンサ検出動作が同時のタイミングで開始されてから前述の送信時間Ｔ12aの経過後のタイミングでマスター無線通信部３０の受信回路３００にて受信されたセンサ検出信号Ｓ2aを入力すると、このセンサ検出信号Ｓ2aに付加されているセキュリティ異常情報及び端末ＩＤをもとに、無線式防犯センサ端末２ａの防犯センサ部１０にてセンサ検出された各種のセキュリティ異常の警報発報及び警報表示を、発報部３１及びマスター表示部３２をそれぞれ使用して行うとともに、無線式防犯センサ端末２ａが有する端末ＩＤを付加した確認信号Ｓ12aを生成してマスター無線通信部３０の送信回路３０１から無線通信で送信し、複数台の無線式防犯センサ端末２ａ、２ｂ、２ｃを構成するセンサ無線通信部１０の受信回路１１１を経由してセンサ制御部１６ｂに伝送させる。
【００５３】
図２（Ｂ）に示す複数台の無線式防犯センサ端末２ａ、２ｂ、２ｃのセンサ制御部１６ｂはそれぞれ、マスター端末３から無線通信で送信されてきた確認信号Ｓ12aに付加されている端末ＩＤと自無線式防犯センサ端末が有する端末ＩＤとを照合し、照合結果が一致した場合にのみ防犯センサ部１０にてセンサ検出された各種のセキュリティ異常がマスター端末３にて正常に警報発報及び警報表示された旨の確認表示を、センサ表示部１４を使用して行うことができる。ここでは、無線式防犯センサ端末２ａのセンサ制御部１６ｂのみ照合結果が一致し、センサ表示部１４を使用した確認表示が行われることになる。
【００５４】
また、図３に示すマスター端末３のマスター制御部３４は、図２（Ｂ）に示す複数台の無線式防犯センサ端末２ａ、２ｂ、２ｃの防犯センサ部１０における各種のセキュリティ異常のセンサ検出動作が同時のタイミングで開始されてから前述の送信時間Ｔ12c、Ｔ12dの経過後のタイミングでマスター無線通信部３０の受信回路３００にて順次受信されたセンサ検出信号Ｓ2b、Ｓ2cを入力すると、入力されたセンサ検出信号Ｓ2b、Ｓ2cに付加されているセキュリティ異常情報及び端末ＩＤをもとに、無線式防犯センサ端末２ｂの防犯センサ部１０にてセンサ検出された各種のセキュリティ異常の警報発報及び警報表示、無線式防犯センサ端末２ｃの防犯センサ部１０にてセンサ検出されたセキュリティ異常の警報発報及び警報表示を、発報部３１及びマスター表示部３２をそれぞれ使用して前述の送信時間Ｔ12c、Ｔ12dの時間差に対応させて行うとともに、この時間差のタイミングで無線式防犯センサ端末２ｂ、２ｃが有する端末ＩＤをそれぞれ付加した確認信号Ｓ12b、Ｓ12bを生成してマスター無線通信部３０の送信回路３０１から無線通信で送信し、複数台の無線式防犯センサ端末２ａ、２ｂ、２ｃを構成するセンサ無線通信部１１の受信回路１１１を経由してセンサ制御部１６ｂに伝送させる。
【００５５】
さらに、図２（Ｂ）に示す複数台の無線式防犯センサ端末２ａ、２ｂ、２ｃのうち無線式防犯センサ端末２ａ、２ｂのセンサ制御部１６ｂはそれぞれ、前述の無線式防犯センサ端末２ａのセンサ制御部１６ｂと同様、マスター端末３から無線通信で送信されてきた確認信号Ｓ12b、Ｓ12cに付加されている端末ＩＤと自無線式防犯センサ端末が有する端末ＩＤとの照合結果が一致するため、防犯センサ部１０にてセンサ検出された各種のセキュリティ異常がマスター端末３にて正常に警報発報及び警報表示された旨の確認表示を、センサ表示部１４を使用して行うことができる。
【００５６】
なお、前述までの説明では、図２（Ｂ）に示す複数台の無線式防犯センサ端末２ａ、２ｂ、２ｃのセンサ制御部１６ｂにて決定される送信時間Ｔ12a、Ｔ12b、Ｔ12cのタイミングの一例として、照度センサ１７にて検出される照度値が小さい当該無線式防犯センサ端末からのセンサ検出信号を最優先に、照度値の大きさに対応させた順序となるようなタイミングを適用したが、このタイミングに限定されるものではない。例えば、当該複数台の無線式防犯センサ端末に照度センサ１７が不備とされる態様においては、設定部１３による設定で計時部１２にて計時される（任意の）時間Ｔ2a、Ｔ2b、Ｔ2cが当該複数台の無線式防犯センサ端末毎で「Ｔ2a≠Ｔ2b≠Ｔ2c」のように異なっていればよく、同時のセンサ検出時におけるセンサ検出信号Ｓ2a、Ｓ2b、Ｓ2cの衝突が防止され、安定性を高めた状態でマスター端末３への無線通信を行うこともできる。
【００５７】
また、前述までの説明では、図２（Ｂ）に示す複数台の無線式防犯センサ端末２ａ、２ｂ、２ｃの防犯センサ部１０における各種のセキュリティ異常のセンサ検出動作が同時のタイミングで開始されたときの送信時間Ｔ12a、Ｔ12b、Ｔ12cについて説明したが、この送信時間Ｔ12a、Ｔ12b、Ｔ12cの経過後に再度、センサ制御部１６ｂにて生成されるセンサ検出信号Ｓ2a、Ｓ2b、Ｓ2cをセンサ無線通信部１１の送信回路１１０からマスター端末３に再送信するまでの時間間隔についても、設定部１３による設定で計時部１２にて計時される当該複数台の無線式防犯センサ端末毎で任意の時間に、照度センサ１７にて検出される当該無線式防犯センサ端末の周囲近傍の明るさを示す照度値（をその値をもとに変換した時間）を乗してセンサ制御部１６ｂにて決定される時間間隔Ｔ22a、Ｔ22b、Ｔ22cとすることができる。この時間間隔Ｔ22a、Ｔ22b、Ｔ22cにより、再送信時におけるセンサ検出信号Ｓ2a、Ｓ2b、Ｓ2cの衝突が防止され、安定性を高めた状態でマスター端末３への無線通信を行うこともできる。
【００５８】
最後に、本発明の無線式防犯センサ装置においては、特定の実施の形態をもって説明してきたが、この形態に限定されるものでなく、本発明の効果を奏する限り、これまで知られた如何なる構成の無線式防犯センサ装置であっても採用できるということはいうまでもないことである。
【００５９】
具体的には、複数台の無線式防犯センサ端末は、前述の実施例のような３台ずつ（１ａ、１ｂ、１ｃ、２ａ、２ｂ、２ｃ）に限定されるものではなく、２台以上であればより複数台の当該無線式防犯センサ端末を適用することもできる。
【００６０】
また、マスター端末３の構成として、図３に破線で示すようなサーバ等の外部への警報移報機能が備えられている場合には、マスター制御部３４にて検出される複数台の無線式防犯センサ端末１ａ、１ｂ、１ｃ、２ａ、２ｂ、２ｃの防犯センサ部１０にてセンサ検出された各種のセキュリティ異常を、インターネット、公衆ＬＡＮ等の汎用ネットワークを経由して接続されるサーバ等の外部、例えば、警察署や警備会社等の所定の機関に警報移報することもできる。
【００６１】
さらに、複数台の無線式防犯センサ端末１ａ、１ｂ、１ｃ、２ａ、２ｂ、２ｃの構成としては、警報発報機能が不備とされる構成、すなわち、図２（Ａ）、（Ｂ）に示すセンサ表示部１４が不備の当該無線式防犯センサ端末も好適であるばかりでなく、このセンサ表示部１４のみならず警報音、確認音や音声メッセージ等を出力する発報部（図示せず。）を備えた警報発報機能を有する当該無線式防犯センサ端末も好適である。
【図面の簡単な説明】
【００６２】
【図１】図１は、本発明の実施例による無線式防犯センサ装置の全体構成を示すブロック図である。
【図２】図２（Ａ）は、本発明の実施例による無線式防犯センサ装置において、複数台の無線式防犯センサ端末の第１の態様の具体的な構成を示すブロック図である。また、図２（Ｂ）は、本発明の実施例による無線式防犯センサ装置において、複数台の無線式防犯センサ端末の第２の態様の具体的な構成を示すブロック図である。
【図３】図３は、本発明の実施例による無線式防犯センサ装置において、マスター端末の具体的な構成を示すブロック図である。
【符号の説明】
【００６３】
１ａ、１ｂ、１ｃ、２ａ、２ｂ、２ｃ……複数台の無線式防犯センサ端末
１６ａ、１６ｂ……センサ制御部（制御部）
１７……照度センサ
１１０……送信回路
１１１……受信回路
３……マスター端末
３００……受信回路
３０１……送信回路
【図１】
2009211400.tif 000003
【図２】
2009211400.tif 000004
【図３】
2009211400.tif 000005